(57)【要約】　　　（修正有）【課題】信号線を必要とせず、チャンネル数ごとに同期をとりながら、同時点滅や流れ点滅等の点滅制御を可能とする。【解決手段】それぞれの点滅装置に内蔵されたマイクロコンピュータに識別できるアドレス番号を設け、そのアドレス番号に応じて点滅のタイミングが異なるプログラムを組み込み、点滅装置の２本の入力ラインは交流の電源ラインからとることにより、マイクロコンピュータに電源を与えながら交流電源のクロックをクロック源としてとりこみ、点滅装置から電力制御された出力を照明器具のそれぞれの発光素子に送信する。【選択図】図３
2004006150.tif 000002
【特許請求の範囲】
【請求項１】
２本の電源ラインに複数の発光素子が並列接続された照明器具において、それぞれの点滅装置に内蔵されたマイクロコンピュータ内部にアドレスを設け、そのアドレスごとに異なった点滅のタイミングをもつプログラムを組み込み、点滅装置の２本の入力ラインは交流の電源ラインからとることにより、マイクロコンピュータに電源を与えながら交流電源のクロックをクロック源としてとりこみ、点滅装置から電力制御された出力を照明器具のそれぞれの発光素子に送信することで信号線を必要とせず、チャンネル数ごとに同期をとりながら、同時点滅や流れ点滅等の点滅制御を可能とすることを特徴とする照明制御装置。
【請求項２】
上記照明制御装置において、照明器具の各発光素子の１本の入力端子は交流の電源ラインからとり、他方の入力端子を点滅装置からの電力制御された出力ラインからとる請求項１に記載の照明制御装置。
【請求項３】
上記照明制御装置において、マイクロコンピュータ内部のアドレスは外観上では識別できないため、アドレスに対応した印を点滅装置の表面上に設けることで外観上においても点滅装置のアドレスが識別可能となる請求項１または２に記載の照明制御装置。
【請求項４】
上記点滅装置において、それぞれの点滅装置において内蔵されたマイクロコンピュータには複数の点滅パターンがプログラムされており、交流の電源から電源供給された際に、コントローラを介してその電源波形に点滅パターンを選択するための選択データを加えた状態で転送することにより、点滅装置に内蔵されたマイクロコンピュータがその選択データを読みとり、その選択データに対応した点滅パターンをそれぞれの点滅装置が各自のアドレスに従って果たすべき点滅を行うことで複数の点滅パターンの選択を可能とする請求項１から３のいずれかに記載の照明制御装置。
【請求項５】
上記点滅装置において、不揮発性メモリを内蔵することにより上記コントローラより転送された点滅パターンを選択するための選択データをコントローラから異なった点滅パターンを選択的に切り替えて転送しない限り、その選択データを記憶し続ける記憶部を有してなる請求項４に記載の照明制御装置。
【請求項６】
上記コントローラは、電源波形に点滅パターンを選択するための選択データを加えた状態で転送する方法として、交流の電源波長の２波長を１つのユニットとし、１波長をデータ転送期間とし、残りの１波長を電源供給期間とする請求項４または５に記載の照明制御装置。
【発明の詳細な説明】
【０００１】
【発明が属する技術分野】
本発明は装飾照明やサイン照明などの点滅を必要とする照明に関する。本発明は特に、複数の電源ラインや信号線を必要とせず２本の電源ラインで、点滅制御を可能とする照明制御装置に関する。
【０００２】
【従来の技術】
従来の技術では、一般的にＮ個を１つの群として発光素子を同期をとりながら発光素子にＮチャンネルの流れ点滅をさせるためには、各発光素子の一方の入力端子にそれぞれ接続されるＮ本の電源ラインと、各発光素子の他方の入力端子に共通に接続される１本の電源ラインとの、合計（Ｎ＋１）本の電源ラインが少なくとも必要であった。
或いは、別の手段として発光素子１つ１つにマイクロコンピュータを組み込む方法も存在するが、そのクロック源として通信線を必要としていた。
【０００３】
【発明が解決しようとする課題】
従来は、信号線を必要とせずに、２本の電源ラインだけで、同期をとりながら点滅を行うのは容易ではなかった。複数個の発光素子を同期をとりながら点滅させようとすると、複数の電源ラインや信号線を必要とし、配線上の問題を生じたり、２本の電源ラインに並列接続された複数の発光素子を回路にする照明器具を施工した後に、流れ点滅等の点滅をさせたいと思っても、現状それを解決する手段がなく、新たに多線式回路のそれと類似した形状の点滅できる照明器具を買い直さなければいけなかった。
【０００４】
また、装飾照明やサイン照明の場合、２本の電源ラインに並列接続された複数の発光素子を回路にする照明器具のある特定の箇所にのみ部分的に同期をとりながら点滅させたものが数多く存在するが、このような場合、常時点灯している照明器具とそれと類似した形状の点滅できる多線式回路の照明器具を組み合わせて施工することで解決されていたが、その場合には配線が複雑になるばかりか、美観的にも好ましくないという点において真に満足する解決になっていないのが現状である。
【０００５】
【発明が解決しようとする課題】
本発明は、前記従来の問題点を解決するためになされたもので、２本の電源ラインに並列接続された複数の発光素子を複数の電源ラインや通信線を用いることなく、２本の電源ラインだけでチャンネル数ごとに同期をとりながら、同時点滅や流れ点滅を行うことができ、また点滅装置には外観においても識別できる番号が施されているため、常時点灯している照明器具の施工が終わった後においても、点滅させたい箇所の発光素子とその発光素子を受けるソケットとの間に本発明の点滅装置を挿入するだけである特定の箇所に部分的にも思い通りの点滅をすることができる照明制御装置を提供する。
【０００６】
【発明の実施の形態】
本発明は、それぞれの点滅装置に内蔵されたマイクロコンピュータ内部にアドレスを設け、そのアドレスに応じて点滅のタイミングが異なるプログラムを組み込み、点滅装置の２本の入力ラインは交流の電源ラインからとることにより、マイクロコンピュータに電源を与えながら交流電源のクロックをクロック源としてとりこみ、点滅装置から電力制御された出力を照明器具のそれぞれの発光素子に送信することで信号線を必要とせず、チャンネル数ごとに同期をとりながら、同時点滅や流れ点滅等の点滅制御を可能とするもので、以下図を用いて説明する。
【０００７】
図１は、一般的な２本の電源ラインにウェッジ球と呼ばれる白熱球が複数並列接続された照明器具の１灯の内部構成を示す。
図１においては接点部１０２ａと接点部１０２ｂは接点１０２の一部で共通の導体であり、それらは交流の電源ラインの１つである１０５ａに接続され、同様に接点部１０３ａと接点部１０３ｂは接点１０３の一部であり、それらはもう一方の電源ライン１０５ｂに接続されている。
またランプの両リード線１０１ａと１０１ｂは絶縁体のガラスバルブを通して互いに反対側に位置され、リード線１０１ａは接点１０２ａに接触し、リード線１０１ｂは接点１０３ｂに接触している。この構造により、２本の電源ラインに電圧が印加されると接点を介して白熱球の２本のリード線に電圧が印加され白熱球が点灯する。
【０００８】
２本の電源ラインにウェッジ球と呼ばれる白熱球が複数並列接続された照明器具は以上のような構造で点灯する。こうした構造は、以下述べる種々の形態において生かされている。
【０００９】
（第１実施形態）
図２は本実施形態における照明制御装置の１灯における内部構成を示す図である。図２においては、点滅装置の入力ライン２０４ａは接点２０２ｂを介して電源ラインの１つである２０６ａに導通されていて、もう一方の入力ライン２０４ｂは接点２０３ｂを介してもう一方の電源ライン２０６ｂに導通されている。白熱球の２本のリード線においてリード線２０１ｂは点滅装置からの電力制御された出力ライン２０４ｃと接触し導通しており、もう一方のリード線２０１ａは接点部２０２ａを介して電源ライン２０６ａに導通している。
これにより、照明制御装置において、各発光素子の１本の入力端子は交流の電源ラインからとり、他方の入力端子を点滅装置からの電力制御された出力ラインからとることが可能となる。
【００１０】
図３は本実施形態における点滅装置の構成を示す図である。
本実施形態において図２の構成をとることで、点滅装置の２本の入力ラインは交流の電源ラインと接続され、図３に示すような各点滅装置のマイクロコンピュータに電源を与えながら交流電源のクロックをクロック源に取り込み、点滅装置からの電力制御された出力を照明器具の各発光素子に送信することで信号線を必要としない回路が可能となる。
【００１１】
図４は第１実施形態における点滅装置のマイクロコンピュータ内部のアドレスに対応した印を点滅装置の表面上に設けた利用形態を例示する図である。図４（ａ）は印の種類として数字を用いて３チャンネルの流れ点滅を行う例示であり、チャンネル数と同じ数まで昇順に点滅装置の表面上に数字を設けていけば、容易に点滅装置を識別することが可能となる。図４（ｂ）は印の種類として色の印をつけた例示であり、装飾照明やサイン照明においては、点滅させたい箇所にだけ異なった色の光を発光させ、しかもその箇所ごとに点滅のタイミングおよび発光色が異なる場合が数多く存在する。その場合においても図４（ｂ）のようにその色と同じ色の印を識別装置につけておけば、容易に点滅装置を識別することが可能となる。
【００１２】
図５は本実施形態における照明制御装置の構成を示す図である。
各点滅装置はアドレスに応じた点滅のタイミングが異なるプログラミングが組み込まれているが、マイクロコンピュータ内部のアドレスは外観上では識別できないため、図４に示すようにアドレスに対応した印を点滅装置の表面上に設けることで、外観上においても点滅装置のアドレスが識別可能となり、点滅装置と照明器具が一体となっておらず点滅装置を電源ラインと各発光素子との間に介設しなければいけない場合においても、容易にアドレスを識別しながら点滅装置を介設することで、チャンネル数ごとに同期をとりながら、同時点滅や流れ点滅等の点滅制御を行うことが可能となる。
【００１３】
図６は、本実施形態における照明制御装置の構成を示す図である。
本実施形態における照明制御装置は、それぞれの点滅装置において内蔵されたマイクロコンピュータには多種類の点滅パターンがプログラムされており、交流の電源から電源供給された際に、コントローラを介してその電源波形に点滅パターンを選択データを加えた状態で転送することにより、点滅装置に内蔵されたマイクロコンピュータがその選択データを読みとり、その選択データに対応した点滅パターンを行うために、各点滅装置が各自のアドレスに従って果たすべき点滅を行う点で第１実施形態と異なる。他の構成は第１実施形態と共通するので説明を省略する。
【００１４】
図７は、本実施形態のコントローラの構成を示す。
図７において、交流電源から電源供給されるとコントローラにも電源が供給され、コントローラの選択スイッチに設定されていた点滅パターンに対応した選択データが２本の電源ラインから転送されるのだが、その際においても各点滅装置には電源を供給する必要があるため、断続的に電源を供給しながら、その間にデータを転送する。
【００１５】
図８は、本実施形態のコントローラから点滅装置に選択データを送る手段を例示した波形図である。
断続的に電源を供給しながら、データを転送させる方法はいくつかあるが、図７においては、交流の電源波長の２波長を１つのユニットとし、最初の１波長は、電源があるときはその情報を０とし、電源がないときはその情報を１とするやり方でデータ転送期間とし、残りの１波長は電源供給期間のため必ず電源を供給することにしている。
【００１６】
図９は、本実施形態の点滅装置の構成を示す図である。
本実施形態における点滅装置において、それぞれの点滅装置に内蔵されたマイクロコンピュータには複数の点滅パターンがプログラムされており、交流の電源から電源供給された際、コントローラの選択スイッチに設定された点滅パターンに対応する選択データが交流の電源波形に加えられて転送されるのだが、第１実施形態とは異なりその選択データを読みとる回路が点滅装置に用意されている。その選択データに対応した点滅パターンを各点滅装置が各自のアドレスに従って果たすべき点滅を行う。
【００１７】
（第３実施形態）
図１０は、本実施形態における照明制御装置の構成を示す図である。
本実施形態における照明制御装置は、点滅装置において不揮発性メモリを内蔵することによりコントローラより転送された点滅パターンを選択するための選択データをコントローラから異なった点滅パターンを選択的に切り替えて転送しない限り、その選択データを記憶し続ける記憶部を有する点で第２実施形態と異なる。その他の構成は第２実施形態と共通するので説明を省略する。
【００１８】
図１１は、本実施形態の点滅装置の構成を示す図である。
本実施形態においては、第２実施形態と同じように交流の電源から電源供給された際、コントローラの選択スイッチに設定された点滅パターンに対応する選択データが転送されるのだが、その選択データは記憶部に記憶され、コントローラを介してその点滅パターンを変更しない限り、第２実施形態とは異なり以後コントローラを必要としない。
この実施形態は、装飾照明やサイン照明においては、設置時に設定した点滅パターンの種類やその点滅スピードを変更しないで使用することが多いことに顧みてなされたものである。
【００１９】
以上、本発明を第１から第３の実施形態をもとに説明した。この実施の形態は例示であり、それらの各構成要素や各処理プロセスの組み合わせによりいろいろな変形が可能なこと、またそうした変形例も本発明の範囲にあることは当業者に理解されることである。そうした変形例を以下挙げる。
【００２０】
上記の実施形態においては、点滅パターンの種類として明るさをマイクロコンピュータにプログラムすることができる。すなわち本照明制置は調光装置としても用いることができるし、点滅装置と調光装置の組み合わせ装置として用いてもよい。
【００２１】
上記の実施形態においては、発光素子としてウェッジ球と呼ばれる白熱球を例示したが、このような構成にかぎらない。他の白熱球やＬＥＤを用いてもよい。
【００２２】
上記の実施形態においてその他の点滅パターンの例としては、２本の電源ラインに並列接続された発光素子を図１２のようにマトリックス上に配列し、特定の箇所にのみ点滅装置を発光素子と発光素子を受けるソケットとの間に挿入することで、文字や記号、絵といった情報部分だけを同期をとりながら同時点滅や或いは情報部分ごとに流れ点滅させるような使い方をしても良い。図１２においては文字Ｔが同期をとりながら同時点滅している図である。
【００２３】
【発明の効果】
本発明による点滅装置は、２本の電源ラインに複数の発光素子が並列接続された照明器具において、複数の電源ラインや信号線を必要とせず、２本の電源ラインだけでチャンネル数ごとに同期をとりながら同時点滅や流れ点滅等の点滅を行うことができるという優れた効果を得られるものである。
【図面の簡単な説明】
【図１】一般的な２本の電源ラインにウェッジ球と呼ばれる白熱球が複数並列接続された照明器具の１灯の内部構成を示す図である。
【図２】第１実施形態における照明制御装置の１灯における内部構成を示す図である。
【図３】第１実施形態における点滅装置の構成を示す図である。
【図４】第１実施形態における点滅装置のマイクロコンピュータ内部のアドレスに対応した印を点滅装置の表面上に設けた利用形態を例示する図である。
【図５】第１実施形態における照明制御装置の構成を示す図である。
【図６】第２実施形態における照明制御装置の構成を示す図である。
【図７】第２実施形態のコントローラの構成を示す図である。
【図８】第２実施形態のコントローラから点滅装置に選択データを送る手段を例示した波形図である。
【図９】第２実施形態における点滅装置の構成を示す図である。
【図１０】第３実施形態における照明制御装置の構成を示す図である。
【図１１】第３実施形態における点滅装置の構成を示す図である。
【図１２】本発明における照明制御装置を利用した点滅パターンの一例を示す図である。
【符号の説明】
１０１　　白熱球
１０２　　接点
１０３　　接点
１０４　　ソケット
１０５　　電源ライン
２０１　　白熱球
２０２　　接点
２０３　　接点
２０４　　点滅装置
２０５　　ソケット
２０６　　電源ライン
【図１】
2004006150.tif 000003
【図２】
2004006150.tif 000004
【図３】
2004006150.tif 000005
【図４】
2004006150.tif 000006
【図５】
2004006150.tif 000007
【図６】
2004006150.tif 000008
【図７】
2004006150.tif 000009
【図８】
2004006150.tif 000010
【図９】
2004006150.tif 000011
【図１０】
2004006150.tif 000012
【図１１】
2004006150.tif 000013
【図１２】
2004006150.tif 000014